(57)【要約】【課題】扉開閉の検知のためだけに別途磁石を設置する必要があるため、磁石の分のコストアップに加え、さらに磁石を取り付ける部分を扉側に新たに設けることにより、断熱扉のコストアップのみならず断熱扉の意匠的な観点からの問題を解決することを目的とする。【解決手段】断熱扉が閉まった状態で、磁石の磁力が外箱もしくは仕切部材の金属部と磁気検出センサとに届くように構成された断熱扉を閉状態で保持するために設けられたパッキング中の磁石を、扉開閉検知にも兼用で用いるようにする。【選択図】図２
2013190133.tif 000002
【特許請求の範囲】
【請求項１】
内箱と外箱とから構成される断熱箱体と、前記断熱箱体を仕切る仕切部材と、前記断熱箱体を覆う断熱扉と、前記断熱扉の断熱箱体側に取り付けられたパッキング材と、前記パッキング材の内部に設けられた磁石と、前記磁石の磁力を検知する磁気検出センサと、を備え、前記断熱扉が閉状態で、前記磁石の磁力が前記外箱もしくは前記仕切部材の金属部と前記磁気検出センサとに届くように構成されたことを特徴とする冷蔵庫。
【請求項２】
前記磁気検出センサと前記磁石との間に非着磁性部材を設けたことを特徴とする請求項１に記載の冷蔵庫。
【請求項３】
前記磁気検出センサは前記磁石の磁極センタに対抗する位置に配置されていることを特徴とする請求項１または２に記載の冷蔵庫。
【請求項４】
前記非着磁性部材は前記磁石の幅の半分以上を覆う形状とすることを特徴とする請求項１〜３のいずれか一項に記載の冷蔵庫。
【請求項５】
前記磁気検出センサは収納室の前面側の左右端部に配置することを特徴とする１〜４のいずれか一項に記載の冷蔵庫。
【請求項６】
前記磁気検出センサはＧＭＲ素子とする請求項１〜５のいずれか一項に記載の冷蔵庫。
【発明の詳細な説明】
【技術分野】
【０００１】
本発明は、断熱扉の裏面側周縁に磁石を内蔵したパッキング材を取り付けた冷蔵庫に関するものである。
【背景技術】
【０００２】
従来、冷蔵庫をはじめとする断熱貯蔵庫などの扉開閉の検知機構としては、例えば、図４に示すように、冷蔵庫の本体側に非接触の磁気検出手段を備え、磁気検出手段に対抗する扉の一部分に磁石を設置させる構成としていた（例えば、特許文献１参照）。
【先行技術文献】
【特許文献】
【０００３】
【特許文献１】特開平８−３０３９４５号公報
【発明の概要】
【発明が解決しようとする課題】
【０００４】
しかしながら、上記従来の構成では、扉開閉の検知のためだけに別途磁石を設置する必要があるため、磁石の分のコストアップに加え、さらに磁石を取り付ける部分を扉側に新たに設けることにより、断熱扉のコストアップのみならず断熱扉の意匠的な観点からも問題があった。
【０００５】
本発明は、上記従来の課題を解決するもので、断熱扉を閉状態で保持するために設けられたパッキング材中の磁石を、扉開閉検知にも兼用で用いるようにするとともに、磁石および断熱扉のコストアップを避けつつ、意匠性も向上させることできる冷蔵庫を提供することを目的としたものである。
【課題を解決するための手段】
【０００６】
上記従来の課題を解決するために、本発明の冷蔵庫は、内箱と外箱とから構成される断熱箱体と、断熱箱体を仕切る仕切部材と、断熱箱体を覆う断熱扉と、断熱扉の断熱箱体側に取り付けられたパッキング材と、パッキング材の内部に設けられた磁石と、磁石の磁力を検知する磁気検知センサと、を備え、断熱扉が閉まった状態で、磁石の磁力が外箱もしくは仕切部材の金属部と磁気検知センサとに届くように構成されたことを特徴とするものである。
【発明の効果】
【０００７】
上記の構成により、断熱扉を閉状態で保持するために設けられたパッキング材中の磁石を、扉の閉状態を保持するだけでなく扉開閉検知にも兼用で用いるようにするとともに、磁石および断熱扉のコストアップを避けつつ、意匠性も向上させることできるという特有の効果を奏するものである。
【図面の簡単な説明】
【０００８】
【図１】本発明の実施の形態１における冷蔵庫を示す図
【図２】本発明の実施の形態１における要部を示す図
【図３】本発明の実施の形態１における要部を示す図
【図４】従来の冷蔵庫を示す図
【発明を実施するための形態】
【０００９】
本願発明は、内箱と外箱とから構成される断熱箱体と、断熱箱体を仕切る仕切部材と、
断熱箱体を覆う断熱扉と、断熱扉の断熱箱体側に取り付けられたパッキング材と、パッキング材の内部に設けられた磁石と、磁石の磁力を検知する磁気検知センサと、を備え、断熱扉が閉状態で、磁石の磁力が外箱もしくは仕切部材の金属部と磁気検知センサとに届くように構成としたものである。
【００１０】
これにより、断熱扉を閉状態で保持するために設けられたパッキング材中の磁石を、扉開閉検知にも兼用で用いるようにするとともに、磁石および断熱扉のコストアップを避けつつ、意匠性も向上させることできるという特有の効果を奏するものである。
【００１１】
また、磁気検知センサと磁石との間に非着磁性部材を設けたものである。
【００１２】
これにより、磁気検知センサが断熱扉開放時にも外部から視認できなくなるため、断熱扉側の意匠性だけでなく、本体側の意匠性も向上するものである。
【００１３】
また、磁気検知センサは磁石の磁極センタに対抗する位置に配置されているものである。
【００１４】
これにより、パッキング材中の磁石の磁束密度が最大となる位置で検知することができ、扉開閉の検知を確実に行うことができるものである。なお、扉の閉状態を保持する役割は、周方向で保持されるため使い勝手に影響を与えることなく両役割をともに果たすことができる。
【００１５】
また、非着磁性部材は磁石の幅の半分以上を覆う形状としたものである。
【００１６】
これにより、多少扉にずれが生じたような場合であっても適切に磁力を捕捉することが可能となる。
【００１７】
また、磁気検知センサは収納室の前面側の左右端部に配置したものである。
【００１８】
これにより、長期使用で扉位置の上下ズレが生じた場合でも磁石が上下方向にある為に、磁石の磁束密度が最大となる位置で常に検知することができ、適切に扉の開閉検知を実現できる。
【００１９】
また、磁気検出センサはＧＭＲ素子としたものである。
【００２０】
これにより、パッキング材中の磁石のわずかな磁力でも検知することができ、適切に扉の開閉検知を実現できる。
【００２１】
以下、本発明の実施の形態について、図面を参照しながら説明するが、従来例または先に説明した実施の形態と同一構成について同一符号を付して、その詳細な説明は省略する。
【００２２】
なお、この実施の形態によってこの発明が限定されるものではない。
【００２３】
（実施の形態１）
本発明の実施の形態１における図１に示す冷蔵庫本体１は、外箱２と断熱材３を介して設けた内箱４によって断熱箱体が構成されており、断熱箱体の内部に貯蔵空間を形成しており、貯蔵空間の開口部５をいくつかの断熱された仕切部材６で区分することで，庫内に複数の独立空間を形成し、それぞれを冷蔵室７や野菜室８、冷凍室９などの食品の貯蔵温度に適した所定の温度帯に冷却制御している。
【００２４】
各貯蔵室の開口部には、それぞれ野菜室扉１０や冷蔵室扉１１などの開閉できる断熱扉を設けており、各扉中、冷蔵室扉１１は、前面開口部の右側の上下に取り付けたヒンジにその右側を枢支することで回転自在に設けられているが、野菜室８他の貯蔵室扉は、引き出し式に形成されている。
【００２５】
図２は、冷蔵室７と野菜室８とを仕切る仕切部材６周辺の縦断面図である。図に示すように、仕切部材６の開口部付近に非着磁性部材であるカバー部材２０を介して磁気検知センサ１９が配置されている。尚、磁気検知センサ１９は、双極性の動作磁界が３ｍＴ以下の高感度品（例えばＧＭＲ素子）である。磁気検知センサ１９は、野菜室扉１０が閉まった状態の時に、パッキング材１２に配置されている磁石１７の磁束密度が最大となる位置で検知することができるように、磁石１７の磁極センタに対抗する位置に配置され、磁石１７の磁力が外箱２もしくは仕切部材６の金属部と磁気検知センサ１９とに届くように構成されている。
【００２６】
上記の構成により、断熱扉を閉状態で保持するために設けられたパッキング材中の磁石１７が、断熱扉の閉状態を保持するだけではなく、扉開閉検知にも兼用で用いることができ、磁石および断熱扉のコストアップを避けつつ、意匠性も向上させることできるものである。また、非磁性部材であるカバー部材２０で覆っていることにより磁気検知センサ１９が断熱扉開放時にも外部から視認できなくなるため、断熱扉側の意匠性だけでなく、本体側の意匠性も向上するものである。
【００２７】
また、磁石の、扉の閉状態を保持する役割は、周方向で保持されるためセンタから多少ずれても問題なく使い勝手に影響を与えることなく、磁石１７は、閉状態保持と扉開閉検知の両役割をともに適切に果たすことができる。
【００２８】
また、非着磁性部材は磁石の幅の半分以上を覆う形状としたものであるため、多少扉にずれが生じたような場合であっても適切に磁力を捕捉することが可能となる。
【００２９】
また、パッキング材１２は、各扉の裏面周縁に取り付けられており、冷気の漏れをシールする構成で、冷蔵室扉１１の裏面側周縁との間隙を密閉シールして冷蔵室７内と外部との熱的に遮断し、本体壁面内外箱に充填した断熱材３と併せて熱漏洩を防止し、貯蔵室内を所定温度に制御保持している。
【００３０】
図３は、パッキング材１２を拡大した図である。図に示すように、パッキング材１２の構成は、上記いずれの貯蔵室扉においても基本的には同一であるが、単体としての断面図は図３に示すように、パッキング材１２は、磁石１７を保持する硬質合成樹脂からなるマグネット保持部１３、と扉内板１４側への軟質合成樹脂からなる取付部１５、およびこれらを伸縮自在に連結する軟質合成樹脂からなる薄肉の袋状部１６の断面形状を有し、長尺のひも状に、押し出し成形されたものを４５度の傾斜角をもって切断し、その端面を突き合わせて、加熱溶着加工することにより、冷蔵室扉１１の裏面周縁に沿った枠上に形成されたものである。
【００３１】
上記の構成によれば、磁石１７を保持するマグネット保持部１３を軟質合成樹脂から硬質塩化ビニルやスチロール系の硬質合成樹脂に置き換えることにより、樹脂を軟化させる可塑剤を含まないため、流出した可塑剤が、冷蔵庫本体開口部の塗装鉄板部にこびりつき、粘着性をもっているため、冷蔵庫の扉を開けることができなることもなく、冷蔵庫本体の開口部が長期に亘り品質が安定しマグネット保持部が破れることもないため冷蔵庫庫内を密閉シールすることができるとともに、磁気検知センサ１９に適切に磁力を届けることができる。
【００３２】
このことにより、軟質合成樹脂により形成された扉側への取り付け部は、伸縮自在に連結する薄肉の袋状部のクッション性により、扉閉扉時に、冷蔵庫本体からの反発を防止し、密閉シールを行うことができるため、冷気洩れもなく、完全なシールができ、電気代のロスも解消されて、実質上消費電力量の削減に繋がる省エネ効果も発揮することができ、扉開閉検知に対しても適切に機能する。
【００３３】
このように、本実施の形態では、断熱扉を閉状態で保持するために設けられたパッキング材中の磁石を、扉開閉検知にも兼用で用いるようにするとともに、磁石および断熱扉のコストアップを避けつつ、意匠性も向上させることできるものである。なお、本実施の形態では、野菜室が引出しのものを示したが、扉状のものであっても構わない。この場合は、磁気検知センサは収納室の前面側の左右端部に配置することによって検知することができるものであるが、特に左右端部に配置することによって、長期使用で扉位置の上下ズレが生じた場合でもパッキング材中の磁石が上下方向にある為に、磁石の磁束密度が最大となる位置で常に検知することができ、適切な扉の開閉検知を実現できる。
【産業上の利用可能性】
【００３４】
以上のように、本発明にかかる冷蔵庫は、例えば、家庭用又は業務用冷蔵庫やシール性の必要な家具・システムキッチン収納庫のパッキング材に応用できるものである。
【符号の説明】
【００３５】
１  冷蔵庫本体
２  外箱
３  断熱材
４  内箱
５  開口部
６  仕切部材
７  冷蔵室
８  野菜室
９  冷凍室
１０  野菜室扉
１１  冷蔵室扉
１２  パッキング材
１３  マグネット保持部
１４  扉内板
１５  取付部
１６  袋状部
１７  磁石
１９  磁気検知センサ
２０  カバー部材
【図１】
2013190133.tif 000003
【図２】
2013190133.tif 000004
【図３】
2013190133.tif 000005
【図４】
2013190133.tif 000006